(57)【要約】【課題】安定性が向上する作業用足場を提供する。【解決手段】作業用足場Ｓは、斜面Ｗａに沿って設置された第１フレーム１と、第１フレーム１に対して斜面Ｗａと反対側に離間する第２フレーム２と、第１フレーム１と第２フレーム２とを繋ぐ足場ユニット３と、第１フレーム１、第２フレーム２及び足場ユニット３を斜面Ｗａの左右方向に移動させる第１車輪４及び第２車輪５とを備える。第１フレーム１は、斜面Ｗａの上下方向に延設された複数の第１縦材１１と、この第１縦材１１同士を繋ぐ第１横材１２とを有する。第２フレーム２は、斜面Ｗａの上下方向に延設された複数の第２縦材２１と、この第２縦材２１同士を繋ぐ第２横材２２とを有する。【選択図】図１
2016128626.tif 000002
【特許請求の範囲】
【請求項１】
壁面に沿って設置された第１フレームと、
前記第１フレームに対して前記壁面と反対側に離間する第２フレームと、
前記第１フレームと前記第２フレームとを繋ぐ足場ユニットと、
前記第１フレーム、前記第２フレーム及び前記足場ユニットを前記壁面の左右方向に移動させる移動手段と、を備える作業用足場であって、
前記第１フレームは、前記壁面の上下方向に延設された複数の第１縦材と、この第１縦材同士を繋ぐ第１横材とを有しており、
前記第２フレームは、前記壁面の上下方向に延設された複数の第２縦材と、この第２縦材同士を繋ぐ第２横材とを有していることを特徴とする作業用足場。
【請求項２】
基盤上に設置されたガイド部材を備えており、
前記移動手段は、前記ガイド部材に沿って前記基盤上を転動する車輪を備えていることを特徴とする請求項１に記載の作業用足場。
【発明の詳細な説明】
【技術分野】
【０００１】
本発明は、作業用足場に関する。
【背景技術】
【０００２】
従来、工事現場において壁面作業を行う際には、足場が仮設されている。この種の足場としては、例えば単管足場や枠組足場等を使用するのが一般的である（特許文献１、２参照）。なお、特許文献２の足場は、壁面の左右方向に沿って移動可能な移動式の足場である。
【先行技術文献】
【特許文献】
【０００３】
【特許文献１】特開平０９−２９６６００号公報
【特許文献２】特開平０７−３００９８６号公報
【発明の概要】
【発明が解決しようとする課題】
【０００４】
各種足場では、安全帯や防網等の安全対策が講じられているが、特に移動式の足場においてはより高い安全性を確保するために、一層の備えが求められている。
【０００５】
本発明は、このような観点から創案されたものであり、安定性が向上する作業用足場を提供することを課題とする。
【課題を解決するための手段】
【０００６】
前記の課題を解決するために、本発明に係る作業用足場は、壁面に沿って設置された第１フレームと、前記第１フレームに対して前記壁面と反対側に離間する第２フレームと、前記第１フレームと前記第２フレームとを繋ぐ足場ユニットと、前記第１フレーム、前記第２フレーム及び前記足場ユニットを前記壁面の左右方向に移動させる移動手段と、を備え、前記第１フレームは、前記壁面の上下方向に延設された複数の第１縦材と、この第１縦材同士を繋ぐ第１横材とを有しており、前記第２フレームは、前記壁面の上下方向に延設された複数の第２縦材と、この第２縦材同士を繋ぐ第２横材とを有していることを特徴とする。
【０００７】
本発明の作業用足場は、移動手段によって壁面の左右方向に移動可能な移動式の足場である。本発明では、第１フレーム及び第２フレームを足場ユニットによって繋ぐため、高剛性の作業用足場を構築できる。これにより、移動式の作業用足場の安定性が向上する。
【０００８】
また、移動手段が基盤上を転動する車輪である場合には、ガイド部材を設置するとよい。このようにすると、車輪がガイド部材に沿ってスムーズに走行するため、作業用足場を迅速かつ正確に移動させることができる。
【発明の効果】
【０００９】
本発明によれば、作業用足場の安定性が向上する。
【図面の簡単な説明】
【００１０】
【図１】本発明の実施形態に係る作業用足場を模式的に示す斜視図である。
【図２】本発明の実施形態に係る作業用足場の側面図である。
【発明を実施するための形態】
【００１１】
本発明の実施形態に係る作業用足場について、図面を参照して詳細に説明する。説明において、同一の要素には同一の符号を付し、重複する説明は省略する。
なお、本実施形態では、作業対象が擁壁Ｗの斜面Ｗａである場合を例にして説明するが、本発明の作業用足場Ｓの使用目的を限定する趣旨ではない。以下の説明において、「上下」、「前後」、「左右」方向とは各図に示した方向である。
【００１２】
図１に示すように、実施形態に係る作業用足場Ｓは、斜面Ｗａに沿って設置された第１フレーム１と、第１フレーム１に対して斜面Ｗａと反対側に離間する第２フレーム２と、第１フレーム１と第２フレーム２とを繋ぐ複数の足場ユニット３，３…と、移動手段である複数の第１車輪４，４及び複数の第２車輪５，５…と、第１車輪４，４をガイドするガイド部材６とを備えている。作業用足場Ｓは、斜面Ｗａの左右方向に移動可能な移動式の足場であり、例えばダムの擁壁に遮水シートを張る場合等に使用される。なお、符号Ｆは、斜面Ｗａの下端部に連続する基盤を示す。
【００１３】
＜第１フレーム＞
第１フレーム１は、左右一対の第１縦材１１，１１と、この第１縦材１１，１１同士を繋ぐ複数（例えば３本）の第１横材１２，１２…とを有している。すなわち、第１フレーム１は、梯子状を呈している。第１フレーム１は、不図示のクランプ等を介して枠組みされている。図２に示す第１フレーム１は、斜面Ｗａに近接かつ平行に設置されている。
【００１４】
第１縦材１１は、斜面Ｗａの勾配方向（縦方向）に沿って延設されている。第１縦材１１は、角形鋼管で構成されている。第１縦材１１の下端部は、基盤Ｆと水平に折曲されており、前方へ向けて延出している。第１縦材１１の下端部は、第１車輪４の取付部を成している。
【００１５】
第１横材１２は、斜面Ｗａの左右方向（横方向）に沿って延設されている。第１横材１２は、角形鋼管で構成されている。複数の第１横材１２，１２…は、左右の第１縦材１１，１１の間において、斜面Ｗａの勾配方向に相互に間隔を空けて設置されている。
【００１６】
＜第２フレーム＞
第２フレーム２は、左右一対の第２縦材２１，２１と、この第２縦材２１，２１同士を繋ぐ複数（例えば３本）の第２横材２２，２２…とを有している。すなわち、第２フレーム２は、梯子状を呈している。第２フレーム２は、不図示のクランプ等を介して枠組みされている。図２に示す第２フレーム２は、斜面Ｗａ及び第１フレーム１と平行に設置されている。
【００１７】
第２縦材２１は、斜面Ｗａの勾配方向に沿って延設されている。第２縦材２１は、単管で構成されている。第２縦材２１は、第２横材２２の前側に位置している。
【００１８】
第２横材２２は、斜面Ｗａの左右方向に沿って延設されている。第２横材２２は、単管で構成されている。複数の第２横材２２，２２…は、斜面Ｗａの勾配方向に相互に間隔を空けて設置されている。本実施形態の第２横材２２は、手摺としての機能を備える。
【００１９】
＜足場ユニット＞
足場ユニット３は、本実施形態では上下３つ設置されている。上下３つの足場ユニット３は、それぞれ、左右一対の水平材３１，３１と、左右一対の斜材３２，３２と、横架材３３と、足場板３４と、３本の支柱３５，３５…と、左右一対の側方手摺３６，３６と、左右一対の側方中間横材３７，３７と、正面中間横材３８とを備えている。足場ユニット３は、不図示のクランプ等を介して枠組みされている。なお、足場ユニット３の数は、斜面Ｗａの高さに応じて適宜増減してよい。
【００２０】
水平材３１は、単管で構成されている。水平材３１は、第１横材１２の左右両端部から前方へ向けて（斜面Ｗａから離間する方向へ）延出している。
【００２１】
斜材３２は、水平材３１を下方から支持する部材であり、単管で構成されている。斜材３２は、水平材３１の先端部から第１縦材１１へ向けて斜め下方に延出している。
【００２２】
横架材３３は、単管で構成されている。横架材３３は、左右の水平材３１，３１の間に架設されている。
【００２３】
足場板３４は、作業床を構成するものであり、鋼板やアルミ板等から成る。足場板３４は、横架材３３の後側において、左右の水平材３１，３１の間に架設されている。本実施形態の足場板３４は、第１横材１２上にも載置されている。足場板３４の左側部位には、昇降タラップ７を通すための開口部３４ａが形成されている。開口部３４ａは、平面視矩形状を呈している。なお、開口部３４ａの位置や形状等は適宜変更してよい。
【００２４】
支柱３５は、山形鋼で構成されている。支柱３５は、横架材３３の左右方向の中央部及び両端部（横架材３３と水平材３１の交差部位）に立設されている。中央の支柱３５は、第２横材２２や正面中間横材３８を支えている。左右の支柱３５，３５は、第２横材２２や正面中間横材３８を支えるとともに、側方手摺３６や側方中間横材３７を支えている。
【００２５】
側方手摺３６は、単管で構成されている。側方手摺３６は、足場ユニット３の左右両側において、１本ずつ設置されている。側方手摺３６は、支柱３５の上端部から第１縦材１１へ向けて後方に延出している。側方手摺３６の前端部は、支柱３５の左右外側に位置している。
【００２６】
側方中間横材３７は、単管で構成されている。側方中間横材３７は、足場ユニット３の左右両側において、１本ずつ設置されている。側方中間横材３７は、支柱３５の中央部から第１縦材１１へ向けて後方に延出している。側方中間横材３７の前端部は、支柱３５の左右外側に位置している。側方手摺３６、側方中間横材３７及び水平材３１は、上下方向に相互に間隔を空けて設置されている。
【００２７】
正面中間横材３８は、単管で構成されている。正面中間横材３８は、側方中間横材３７，３７の間に架設されている。なお、第２横材２２は、側方手摺３６，３６の間に架設されている。第２横材２２、正面中間横材３８及び横架材３３は、上下方向に相互に間隔を空けて設置されている。
【００２８】
＜第１車輪＞
第１車輪４は、本実施形態では２つ設置されている。第１車輪４は、第１縦材１１の下端部に設置されており、基盤Ｆ上を左右方向に転動する。第１車輪４は、第１フレーム１、第２フレーム２及び足場ユニット３を斜面Ｗａの左右方向に移動させる機能を備えている。第１車輪４は、車軸（回転軸）が前後方向と一致するように設置されている。第１車輪４の材質や大きさ等は、特段限定されるものではないが、耐荷重性や走行性等の機能性を考慮して選定するのが好ましい。
【００２９】
＜第２車輪＞
第２車輪５は、本実施形態では４つ設置されている。第２車輪５は、第１縦材１１の上端部及び中央部に設置されており、斜面Ｗａ上を左右方向に転動する。第２車輪５は、第１フレーム１、第２フレーム２及び足場ユニット３を斜面Ｗａの左右方向に移動させる機能を備えている。本実施形態では、第１縦材１１の上端部、中央部及び下端部に第１車輪４や第２車輪５を設置することによって、作業用足場Ｓをバランスよく支え、移動中の作業用足場Ｓの安定性を高めることができる。第２車輪５は、車軸（回転軸）が斜面Ｗａの勾配方向と一致するように設置されている。第２車輪５は、第１縦材１１の左右外側の側面に固定されたブラケット８を介して、第１縦材１１に取り付けられている。第２車輪５の材質や大きさ等は、特段限定されるものではないが、耐荷重性や走行性等の機能性を考慮して選定するのが好ましい。本実施形態の第２車輪５は、軟質なウレタンゴム製の車輪が用いられている。
【００３０】
＜ガイド部材＞
ガイド部材６は、基盤Ｆ上において、斜面Ｗａの左右方向に沿って延設されている。本実施形態のガイド部材６は、山形鋼で構成されていて、基盤Ｆ上に載置されるベース部とベース部から立ち上がる当接部とを備えている。ベース部は、複数のアンカーボルトＢによって基盤Ｆ上に固定されている。当接部は、第１車輪４の前面に接触するように設置されている。これにより、第１車輪４の前方移動が規制され、第１車輪４がガイド部材６に沿ってスムーズに走行することが可能になる。
【００３１】
なお、作業中は、第１車輪４の左右外側に不図示の車輪止めを設置する。これにより、作業用足場Ｓの左右移動が規制され、安定した状態で作業を行うことが可能になる。車輪止めは、例えば、基盤Ｆ上に載置するブロックでもよいし、当接部に着脱可能なクランプでもよい。
【００３２】
本発明の実施形態に係る作業用足場Ｓは、基本的に以上のように構成されるものであり、次に、その作用効果について説明する。
【００３３】
本実施形態によれば、梯子状の第１フレーム１及び第２フレーム２を足場ユニット３によって繋ぐため、高剛性の作業用足場Ｓを構築できる。これにより、移動式の作業用足場Ｓの安定性が向上する。
【００３４】
本実施形態によれば、作業箇所が変わる度に作業用足場Ｓの組み払しを行う必要がなく、作業用足場Ｓを斜面Ｗａの左右方向に移動させるだけでよいため、施工性が向上する。
【００３５】
本実施形態によれば、第１車輪４がガイド部材６に沿ってスムーズに走行するため、作業用足場Ｓを迅速かつ正確に移動させることができる。
【００３６】
以上、本発明の実施形態について説明したが、本発明の趣旨を逸脱しない範囲で適宜変更して実施できるのはいうまでもない。
【００３７】
本実施形態では、作業対象が擁壁Ｗの斜面Ｗａである場合を例示したが、例えば作業対象が構造物の鉛直面である場合にも本発明を適用することができる。
【００３８】
作業用足場Ｓの構成は、実施形態のものに限定されることなく、適宜変更してよい。
例えば、実施形態では左右の第２縦材２１，２１を第２横材２２で繋いだが、左右の第２縦材２１，２１を横架材３３で繋いでもよい。この場合には、横架材３３が特許請求の範囲の第２横材に相当する。
また、左右の第２縦材２１，２１を正面中間横材３８で繋いでもよい。この場合には、正面中間横材３８が特許請求の範囲の第２横材に相当する。
【００３９】
実施形態では山形鋼のガイド部材６を用いたが、凹溝状のガイド部材（ガイドレール）を用いてもよい。この場合には、第１車輪４がガイドレールの溝内を転動する。
また、逆Ｔ字状のガイド部材を用いてもよい。すなわち、このガイド部材は、基盤Ｆ上に載置されるベース部とベース部の幅方向中央部（前後方向中央部）から立ち上がる当接部とを備える。この場合には、ベース部において当接部を挟んで一方（前側）がアンカーボルトＢによって基盤Ｆ上に固定され、ベース部において当接部を挟んで他方（後側）上を第１車輪４が転動する。
【符号の説明】
【００４０】
Ｓ      作業用足場
１      第１フレーム
１１    第１縦材
１２    第１横材
２      第２フレーム
２１    第２縦材
２２    第２横材
３      足場ユニット
４      第１車輪（移動手段）
５      第２車輪（移動手段）
６      ガイド部材
Ｗ      擁壁
Ｗａ    斜面（壁面）
Ｆ      基盤
【図１】
2016128626.tif 000003
【図２】
2016128626.tif 000004